(57)【要約】      （修正有）【課題】交換可能な発光式バッテリを備えた発光靴を提供する。【解決手段】ヒール部１１と、アウトソール部１２と、ミッドソール部と、該アウトソール部に凹設されると共に、該ミッドソール部にカバーされる設置空間と、を備える靴本体１０と、該設置空間に設置されるベースと、該ベースの内部に形成され、上部に開口を有する収容空間と、該ベースに連結され、該収容空間の開口をカバーする蓋部材と、一端が該収容空間に位置するように、該ベース内に取り付けられる第一電極及び第二電極と、を備えるケース２１と、該第一電極及び該第二電極と電気接続するように、該設置空間に取り付けられる制御器２２と、該制御器と電気接続する発光部材２３と、該制御器と電気接続するように、該ヒール部に取り付けられるスイッチ２４と、を備える、該靴本体に取り付けられる発光モジュールと、を有する交換式バッテリを備えた発光靴を提供する。【選択図】図１
0003186654.tif 000002
【実用新案登録請求の範囲】
【請求項１】
ヒール部と、該ヒール部の底部に接着されるアウトソール部と、該アウトソール部の上面に被覆されるミッドソール部と、該アウトソール部の上面に凹設されると共に、該ミッドソール部にカバーされる設置空間と、を備える靴本体と、
前記設置空間に設置されるベースと、該ベースの内部に形成され、上部に開口を有する収容空間と、該ベースに連結され、該収容空間の開口をカバーする蓋部材と、一端が該収容空間に位置するように、該ベース内に取り付けられる第一電極と、一端が該収容空間内に位置するように、該ベースに取り付けられる第二電極と、を備えるケースと、該第一電極及び該第二電極と電気接続するように、該設置空間に取り付けられる制御器と、該制御器と電気接続する少なくとも１つの発光部材と、該制御器と電気接続するように、前記ヒール部に取り付けられるスイッチと、を備える、前記靴本体に取り付けられる発光モジュールと、を有することを特徴とする交換式バッテリを備えた発光靴。
【請求項２】
前記第一電極と第二電極との先端が収容空間において互い違いに設置され、
前記ケースにさらに、両端がそれぞれ第一電極の先端及び第二電極の先端と対応するリング部材が設けられることを特徴とする請求項１に記載の交換式バッテリを備えた発光靴。
【請求項３】
前記ケースにおける収容空間に位置し、且つベースの上面に間隔をおいて設けられる２つの円環状を呈する位置決め部を備え、
前記第一電極及び第二電極はそれぞれ、その一端が前記位置決め部に位置しており、
前記リング部材の両端はそれぞれ、前記位置決め部の内部に位置するように設けられることを特徴とする請求項２に記載の交換式バッテリを備えた発光靴。
【請求項４】
前記ケースは、２本の支持リブを備え、該支持リブはそれぞれ、収容空間に向かって位置決め部の外側に位置するように、蓋部材のベース側に凸設され、また、該各支持リブの長さが該収容空間の深さと同一であることを特徴とする請求項３に記載の交換式バッテリを備えた発光靴。
【請求項５】
前記発光モジュールは、前記アウトソール部の周囲に取り付けられる複数の発光部材を備えることを特徴とする請求項４に記載の交換式バッテリを備えた発光靴。
【請求項６】
前記設置空間は、前記アウトソール部の中間に凹設されることを特徴とする請求項１乃至５の何れか１項に記載の交換式バッテリを備えた発光靴。
【請求項７】
前記制御器は、コネクタにより着脱可能に第一電極及び第二電極と接続され、
前記ケースが着脱可能に設置空間に取り付けられることを特徴とする請求項１乃至５の何れか１項に記載の交換式バッテリを備えた発光靴。
【請求項８】
前記制御器は、コネクタにより着脱可能に第一電極及び第二電極と接続され、
前記ケースが着脱可能に設置空間に取り付けられることを特徴とする請求項６に記載の交換式バッテリを備えた発光靴。
【考案の詳細な説明】
【技術分野】
【０００１】
本考案は、特に発光可能なモジュールを配置している交換式バッテリを備えた発光靴に関するものである。
【背景技術】
【０００２】
靴は、足を保護すると共に、服やアクセサリーとの組み合わせることもできることから、靴のデザインがよければ、消費者の購買意欲を高めることができる。そのため、業者は、靴の内部に発光モジュールを取り付け、発光可能な靴を新たに開発した。
【０００３】
図８に示すように、既存の発光可能な靴は、靴本体５０と、該靴本体５０に設置された発光モジュール６０とを有し、該発光モジュール６０はそれぞれ、電気接続された電源部材６１、スイッチ６２、制御部材６３、複数の発光部材６４を備え、その内、電源部材６１は制御部材６３及び発光部材６４に電力を供給し、スイッチ６２は制御部材６３に対して送受信を行い、制御部材６３は発光部材６４を制御するので、発光部材６４が発光すると、光が靴本体５０から放たれる。
【考案の概要】
【考案が解決しようとする課題】
【０００４】
しかしながら、既存の発光靴は、電源部材が靴本体の内部に取り付けられることから、電源部材の電力が切れると、発光部材の発光機能を失うと共に、電源部材を交換することもできないので、使用上、非常に不便であった。
【０００５】
この問題を解決するために、ある発光靴では、靴本体の内部に取り付けた発光モジュールを自由に取り外すことを可能としたが、様々な靴に応じてタイプが異なる発光モジュールを開発しなければならないことから、生産のコストが増加し、発光靴の価格が高くなってしまうので、消費者の購買意欲を低下させる虞があった。
【課題を解決するための手段】
【０００６】
本考案に係る交換式バッテリを備えた発光靴は、ヒール部と、該ヒール部の底部に接着されるアウトソール部と、該アウトソール部の上面に被覆されるミッドソール部と、該アウトソール部の上面に凹設されると共に、該ミッドソール部にカバーされる設置空間と、を備える靴本体と、
前記設置空間に設置されるベースと、該ベースの内部に形成され、上部に開口を有する収容空間と、該ベースに連結され、該収容空間の開口をカバーする蓋部材と、一端が該収容空間に位置するように、該ベース内に取り付けられる第一電極と、一端が該収容空間内に位置するように、該ベースに取り付けられる第二電極と、を備えるケースと、該第一電極及び該第二電極と電気接続するように、前記設置空間に取り付けられる制御器と、該制御器と電気接続する少なくとも１つの発光部材と、該制御器と電気接続するように、前記ヒール部に取り付けられるスイッチと、を備える、前記靴本体に取り付けられる発光モジュールと、を有するものである。
【０００７】
かかる交換式バッテリを備えた発光靴において、前記第一電極と第二電極との先端が収容空間において互い違いに設置され、
前記ケースにさらに、両端がそれぞれ第一電極の先端及び第二電極の先端と対応するリング部材が設けられることが好ましい。
【０００８】
かかる交換式バッテリを備えた発光靴において、前記ケースにおける収容空間に位置し、且つベースの上面に間隔をおいて設けられる２つの円環状を呈する位置決め部を備え、
前記第一電極及び第二電極はそれぞれ、その一端が前記位置決め部に位置しており、
前記リング部材の両端はそれぞれ、前記位置決め部の内部に位置するように設けられることが好ましい。
【０００９】
かかる交換式バッテリを備えた発光靴において、前記ケースは、２本の支持リブを備え、該支持リブはそれぞれ、収容空間に向かって位置決め部の外側に位置するように、蓋部材のベース側に凸設され、また、該各支持リブの長さが該収容空間の深さと同一であることが好ましい。
【００１０】
かかる交換式バッテリを備えた発光靴において、前記発光モジュールは、前記アウトソール部の周囲に取り付けられる複数の発光部材を備えることが好ましい。
【００１１】
かかる交換式バッテリを備えた発光靴において、前記設置空間は、前記アウトソール部の中間に凹設されることが好ましい。
【００１２】
かかる交換式バッテリを備えた発光靴において、前記制御器は、コネクタにより着脱可能に第一電極及び第二電極と接続され、
前記ケースが着脱可能に設置空間に取り付けられることが好ましい。
【考案の効果】
【００１３】
本考案は上記の構造を有するので、以下に示すような効果を有する。
１．  本考案に係る発光靴では、ケースにバッテリが取り付けられ、その中の第一電極及び第二電極とが電気接続されることにより、制御器及び発光部材に電力を供給し、また、バッテリの電力を切れた場合、靴のミッドソール部を引き上げてケースの蓋部材を開けば、簡単にバッテリを交換することができることから、発光モジュールの全てを交換する必要がなく、製造コストの削減につながるので、消費者の購買意欲を高めることができる。
２．  本考案に係る発光靴において、そのバッテリを収容するためのケースの内部に、位置決め部が設けられると共に、支持リブも凸設されることから、その位置決め部によってバッテリを位置決めることができると共に、その支持リブによってベースとカバーとの間の空間を確保することができるので、足を踏まれても変形することはない。
３．  本考案に係る発光靴において、設置空間は、靴本体の底部の中間、すなわち足裏のアーチと対応する箇所に凹設されることから、ケースを保護する効果を有する。また、ケースの第一電極及び第二電極制御器と制御器とは、コネクタによって着脱可能に接続されることから、ケースを簡単に設置空間から取り外すことができ、発光靴を洗うこともできるので、ケースの使用寿命が延びる。
【図面の簡単な説明】
【００１４】
【図１】本考案に係る交換式バッテリを備えた発光靴の部分透視斜視図である。
【図２】本考案に係る交換式バッテリを備えた発光靴の部分断面側面図である。
【図３】本考案に係る交換式バッテリを備えた発光靴における発光モジュールの斜視図である。
【図４】本考案に係る交換式バッテリを備えた発光靴におけるケース及びバッテリの部分拡大斜視図である。
【図５】本考案に係る交換式バッテリを備えた発光靴の使用状態を示す部分断面側視図である。
【図６】本考案に係る交換式バッテリを備えた発光靴において、バッテリを交換する状態を示す部分斜視図である。
【図７】本考案に係る交換式バッテリを備えた発光靴において、コネクタによってケースを設置空間から取り外す状態を示す部分断面側視図である。
【図８】既存の発光靴の部分透視斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図４に示すように、本考案に係る交換式バッテリを備えた発光靴は、靴本体１０及び発光モジュール２０を有する。
【００１７】
本考案に係る第一実施例において、その靴本体１０は、ヒール部１１と、アウトソール部１２と、ミッドソール部１３と、設置空間１４とを備え、その内、ヒール部１１は、足の形によって設けられ、後側上部に靴を履くための開口が形成され、該アウトソール部１２は、ヒール部１１の底部に接着され、該ミッドソール部１３は、ヒール部１１の内部に位置するように、アウトソール部１２の上面に被覆され、該設置空間１４は、アウトソール部１２の上面に凹設され、上部に該ミッドソール部１３によってカバーされる開口が形成される。また、該設置空間１４は、アウトソール部１２の中間に、すなわち足裏のアーチと対応する箇所に凹設されることが好ましい。
【００１８】
前記発光モジュール２０は、靴本体１０に取り付けられ、ケース２１と、制御器２２と、複数の発光部材２３と、スイッチ２４とを備える。
前記ケース２１は、着脱可能に設置空間１４に配置され、ベース２１１と、収容空間２１２と、２つの位置決め部２１３と、蓋部材２１４と、第一電極２１５と、第二電極２１６と、リング部材２１７と、２本の支持リブ２１８とを備え、その内、該ベース２１１は、略矩形を呈し、前後両端がそれぞれヒール部１１の前後両端に、左右両側がそれぞれヒール部１１の左右両側に対応するように設置され、該収容空間２１２は、上部に開口を有するようにベース２１１の内部に形成され、該位置決め部２１３はそれぞれ、円環状を呈し、収容空間２１２に位置するように、ベース２１１の上面に間隔をおいて設けられ、該蓋部材２１４は、ベース２１１の上部一側に開閉自在に連結されることにより、収容空間２１２の開口をカバー可能とする。尚、該蓋部材２１４は、ベース２１１の前端に連結されてもよい。
【００１９】
前記第一電極２１５及び第二電極２１６はそれぞれ、一端が位置決め部２１３に位置するようにベース２１１に取り付けられ、該リング部材２１７は、細長状の金属プレートであり、両端がそれぞれ位置決め部２１３の中心と対応するように、蓋部材２１４におけるベース２１１側に取り付けられ、前記支持リブ２１８はそれぞれ、収容空間２１２に向かって位置決め部２１３の外側に位置するように、蓋部材２１４におけるベース２１１側に凸設され、また、該各支持リブ２１８の長さはちょうど収容空間２１２の深さと同一である。
【００２０】
前記制御器２２は、第一電極２１５及び第二電極２１６と電気接続されるように設置空間１４に取り付けられ、コネクタ２２１を備え、また、該制御器２２は、コネクタ２２１によって、着脱可能にケース２１の第一電極２１５及び第二電極２１６と接続され、これによれば、ケース２１と制御器２２とは着脱可能に組み合わせられるので、ケース２１を設置空間１４から取り外すことができる。
【００２１】
また、本考案に係る交換式バッテリを備えた発光靴を使用する時は、バッテリ３０をそれぞれ位置決め部２１３に取り付け、第一電極２１５の先端を一つのバッテリ３０と電気接続すると共に、他端を制御器２２の負極と電気接続させ、一方、第二電極２１６の先端をもう一つのバッテリ３０と電気接続すると共に、他端を制御器２２の正極と電気接続させ、さらに、蓋部材２１４を回動させてベース２１１に組み合わせ、リング部材２１７をこれらのバッテリ３０と電気接続させて閉回路を構成する。
【００２２】
一方、本考案の第二実施例は、殆ど第一実施例と同一であるが、ケース２１のタイプが異なり、このケース２１には、１つの位置決め部２１３が設けられ、１つのバッテリがこの位置決め部２１３に設置される。また、第一電極２１５及び第二電極２１６はそれぞれ、位置決め部２１３の底部及び上部に取り付けられ、バッテリの正極及び負極と電気接続するので、蓋部材２１４にリング部材２１７を設置する必要はない。
【００２３】
また、本考案の第三実施例は、殆ど第一実施例と同一であるが、ケース２１のタイプが異なり、つまり、そのケース２１には、位置決め部２１３を有しなく、バッテリを直接に収容空間２１２に取り付けるものである。この構成によれば、第一電極２１５と第二電極２１６との先端が収容空間２１２において互い違いに設置され、第一電極２１５の先端が一つのバッテリと電気接続されると共に、第二電極２１６の先端がもう一つのバッテリと電気接続される。尚、蓋部材２１４を閉めてベース２１１にカバーすると、蓋部材２１４に設けられたリング部材２１７がこの２つのバッテリ３０と電気接続して閉回路を構成する。
【００２４】
前記発光部材２３はそれぞれ、制御器２２と電気接続されるように、アウトソール部１２の周囲に取り付けられ、前記スイッチ２４は、制御器２２と電気接続されるように、ヒール部１１の内側に取り付けられる。尚、該発光部材２３は、靴のデザインによってアウトソール部１２の一部に集中するように配置してもよい。
【００２５】
本考案に係る交換式バッテリを備えた発光靴を使用する時は、スイッチ２４を押して信号を制御器２２に送信し、該制御器２２によって発光部材２３を駆動して発光させる。尚、この制御器２２は、様々な発光モード、例えば、発光部材２３に点灯モードや、点滅モード、順次点滅などの発光モードを有することが好ましい。
【００２６】
また、図５及び図６に示すように、バッテリ３０の電力がなくなったときには、ミッドソール部１３を上方に引き上げて設置空間１４の開口を露出させ、ケース２１の蓋部材２１４を開ければ、バッテリの交換を行うことができる。
【００２７】
図５及び図7に示すように、他のバッテリ交換方法もあり、それによれば、ミッドソール部１３を引き上げて設置空間１４の開口を露出させ、コネクタ２２１を介してケース２１を制御器２２から取り外し、ケース２１内のバッテリを交換した後、またコネクタ２２１を介してケース２１を制御器２２に取り付ければ、バッテリの交換が完了する。尚、本考案に係る交換式バッテリを備えた発光靴は、ケース２１を靴本体１０から取り外すことができるので、洗うことができる。
【００２８】
上述したように、本考案に係る交換式バッテリを備えた発光靴は、発光モジュール２０を交換する必要がなく、バッテリのみ交換すれば、発光モジュール２０を使用し続けることができることから、バッテリの電力がなくなっても、新たに靴を購入する必要がないので、非常に経済的、且つ実用的である。
【符号の説明】
【００２９】
１０   靴本体
１１   ヒール部
１２   アウトソール部
１３   ミッドソール部
１４   設置空間
２０   発光モジュール
２１   ケース
２１１ ベース
２１２ 収容空間
２１３ 位置決め部
２１４ 蓋部材
２１５ 第一電極
２１６ 第二電極
２１７ リング部材
２１８ 支持リブ
２２   制御器
２２１ コネクタ
２３   発光部材
２４   スイッチ
３０   バッテリ
５０   靴本体
６０   発光モジュール
６１   電源部材
６２   スイッチ
６３   制御部材
６４   発光部材
【図１】
0003186654.tif 000003
【図２】
0003186654.tif 000004
【図３】
0003186654.tif 000005
【図４】
0003186654.tif 000006
【図５】
0003186654.tif 000007
【図６】
0003186654.tif 000008
【図７】
0003186654.tif 000009
【図８】
0003186654.tif 000010